(57)【要約】【課題】従来、トラクタ等に作業車両に装備されるタイヤ洗浄装置は、洗浄ノズルが固定されて、タイヤに付着した泥土を十分除去することができなかった。また車体に装備された洗浄装置は、走行や作業時に視界の妨げとなったり、障害物を引っ掛け易いという課題が有った。【解決手段】トラクタの車体１後部にに、貯水タンク２、取水装置３、ポンプ４、洗浄ノズル７を有するブーム２８等から成る洗浄装置１１を備える。前記ブーム２８は、車体１後部に支持した回動アームに２９に取り付けて、後輪６ｒに対する相対位置を変更自在に構成する。また前記ブーム２８は、洗浄作業時には後輪上方へ位置させ、通常走行時には車体１の背面に沿わせて回動収納する構成とする。【選択図】  図１
2006117059.tif 000002
【特許請求の範囲】
【請求項１】
車体（１）に搭載した貯水タンク（２）に充填された水、又は取水装置（３）によって水源から取り出した水を、ポンプ（４）により圧力水として噴射する洗浄ノズル（７）が設けられ、該洗浄ノズル（７）は、タイヤ（６ｒ）の左右幅方向に複数配列して構成され、前記タイヤ（６ｒ）に対する相対位置を変更可能に構成したことを特徴とする作業車両のタイヤ洗浄装置。
【請求項２】
前記複数の洗浄ノズル（７）は、共通のブーム（２８）に一体構成され、同ブーム（２８）を前記タイヤ（６ｒ）に対して洗浄水を噴射する作業位置と、車体に沿わせて位置させる収納位置とに変更自在に構成したことを特徴とする請求項１に記載の作業車両のタイヤ洗浄装置。
【発明の詳細な説明】
【技術分野】
【０００１】
この発明は、貯水タンクや水路等から汲み上げた水を利用して、タイヤの泥土を洗い落とす作業車両のタイヤ洗浄装置の構成に関する。
【背景技術】
【０００２】
農業用トラクタでは、ぬかるんだ畑や水田内を走行して作業を行うと、タイヤに多量の泥土が付着し、作業終了後そのまま一般道路へ移動すると、この泥土を路上に落とすこととなるので、事前に除去するのに大変な労力を要している。そこで、従来、特開２００３−１９９４９号公報（特許文献１参照）に示すように、トラクタ後部の安全フレームに水タンクを取り付け、該水タンクの下部に接続された水噴射用のモータに洗浄ノズルを備え、同ノズルから水を噴射して後輪を洗浄する装置が考えられている。
【特許文献１】特開2003-19949号公報
【発明の開示】
【発明が解決しようとする課題】
【０００３】
しかしながら、上述した公報に開示されているタイヤ洗浄装置は、水タンクに連通した洗浄ノズルがタイヤ上方に固定されており、タイヤ周囲に広範囲に噴射する場合は、車体をジャッキアップしたり、車体を前後進させてタイヤを回転させる必要が生じる。また洗浄水の噴射方向がタイヤに対して一定であり、タイヤにこびり付いた泥土を効率的に除去できないという課題が有った。
【課題を解決するための手段】
【０００４】
前記課題に鑑みてこの発明の作業車両のタイヤ洗浄装置は以下のように構成した。
即ち、請求項１に記載した発明は、車体（１）に搭載した貯水タンク（２）に充填された水、又は取水装置（３）によって水源から取り出した水を、ポンプ（４）により圧力水として噴射する洗浄ノズル（７）が設けられ、該洗浄ノズル（７）は、タイヤ（６ｒ）の左右幅方向に複数配列して構成され、前記タイヤ（６ｒ）に対する相対位置を変更可能に構成したことを特徴とする作業車両のタイヤ洗浄装置。
【０００５】
（請求項１の作用）
以上のように構成した作業車両のタイヤ洗浄装置では、複数の洗浄ノズル（７…）からタイヤ（６ｒ）の左右幅に亘って、この噴射方向を変えながら洗浄水を噴射する。
【０００６】
また請求項２の発明では、前記複数の洗浄ノズル（７）は、共通のブーム（２８）に一体構成され、同ブーム（２８）を前記タイヤ（６ｒ）に対して洗浄水を噴射する作業位置と、車体に沿わせて位置させる収納位置とに変更自在に構成したことを特徴とする請求項１に記載の作業車両のタイヤ洗浄装置。
（請求項２の作用）
以上のように構成した作業車両のタイヤ洗浄装置では、タイヤ洗浄時、洗浄ノズル（７）を備えたブーム（２８）を適宜の位置へ位置させて、洗浄水を噴射する。また通常作業時や路上走行時には、ブーム（２８）を車体に沿わせて位置させて収納する。
【発明の効果】
【０００７】
これにより、まず請求項１の発明は、複数の洗浄ノズル（７…）をタイヤ（６ｒ）に対して相対位置を変えることで、洗浄水の噴射方向を変えることができ、付着した泥に対し幾通りかの角度から洗浄水を当てることができるので、泥の除去効果が向上し洗浄作業の効率が向上する。
【０００８】
また請求項２の発明では、洗浄ノズル（７）はブーム（２８）に一体構成され、洗浄作業が終了すると、同ブーム（２８）に沿わせて位置させることで、走行または作業に支障のない位置に移動できる。
【発明を実施するための最良の形態】
【０００９】
以下、この発明を農業用トラクタ後部に搭載した形態に付いて図面に基づいて説明する。
タイヤ洗浄装置１１は、図２と図３に示すように、貯水タンク２と電動式の取水ポンプ４及び散布装置１１を備え、前記取水ポンプ４を駆動し、水路（水源）から汲み上げた水を貯水タンク２に充填し、同タンク２内の水を圧力水として洗浄ノズル７からタイヤ（以下、後輪６ｒ）へ向かって噴射する構成としている。
【００１０】
また前記貯水タンク２は、側面視逆Ｌ字型に形成され、キャビン１２の外側で且つ操縦席１３の下方から後方にかけて搭載している。そして、上記貯水タンク２は、上部に蓋を有する給水口１４を備えると共に、タンク下部側部に取込口を開口して前記取水ポンプ４と接続する構成としている。これにより、前記貯水タンク２には、水道水などを給水口１４から充填することもでき、また前記取水ポンプ４を駆動して水路等からも水を汲み上げて充填することができる。
【００１１】
また前記取水ポンプ４は、図３に示すように、トラクタのボンネット８内に搭載したバッテリー１６との間を電気コード１７で通電可能に接続し、この途中にポンプ駆動スイッチ１８を設け、キャビン室内からＯＮ、ＯＦＦ操作可能に構成している。
【００１２】
また前記取水ポンプ４には、取水ホース２０と、これを巻き取るホースリール２１、ホース先端部のフィルター３等から成る取水装置１９を備え、前記フィルター３を水路内に沈めて前記ポンプ４を駆動することで洗浄水を汲み上げる構成となっている。また取水作業を行なわないときには、同ホースを前記ホースリール２１に巻き取って収納する構成となっている。
【００１３】
また前記取水ホース２０の基部と前記取水ポンプ４との接続部には、切替バルブ２２を設けており、この水路切替操作によって、前記ホース２０からの水を貯水タンク２へ送る状態と、同ホース２０からの水を後述する散布装置１１へ送る状態と、ホース内水路を遮断して前記タンク２の水を散布装置１１へ送る状態とに切り替える構成としている。
【００１４】
これにより、トラクタが水路近くにある場合では、前記ホース２０とポンプ４間の通水路を連通させて水路の水を直接散布装置１１へ送って洗浄することができ、また水路から離れる場合は、前記ホース２０とタンク２を連通させて洗浄水を一旦タンク２へ貯め、後に貯水タンク２と洗浄装置１１を接続して水を使用することができる。
【００１５】
また前記貯水タンク２は、水路から汲み上げた水を貯水タンク２に溜める場合、同タンク２が満タン状態となることが解るように、上部にフロート式のレベルゲージ２３を設けると共に、満タン状態に達すると、リレー回路により前記取水ポンプ４のスイッチ１８をＯＦＦとする構成となっている。
【００１６】
次に図１と図５と図６に基づいて散布装置１１の構成を説明する。
トラクタ車体１の背面には、取付板２６により左右方向の回動軸２５ａを有する支持管２５が回動自在に取り付けられ、この左右両側に回動アーム２９，２９を立設支持すると共に、同アーム２９，２９の上端同士を水平方向のブーム取付管２７にて接続している。そして、ブーム取付管２７は、この左右両側に複数の洗浄ノズル７…を備えたブーム２８を、外側に伸出した位置（洗浄作業位置）と上方を経由して内側まで回動した位置（収納位置）とに切替できるように回動自在に接続する構成としている。また前記左右のブーム２８とブーム取付管２７は、中空状のパイプ部材で構成され、前記接続部をホース２４を介して連通しており、前記取水ポンプ４からの水をホース１５及び支持管２７を経由して左右のブーム２８，２８へ送水する構成としている。
【００１７】
また前記ブーム２８には、図４乃至図６に示すように、洗浄ノズル７を所定間隔を空けて複数備え、この散布幅は後輪６ｒの左右幅よりやや幅広に設定し、背面視においてそれぞれ噴射方向を後輪６ｒに向けている。即ち前記左右両端の洗浄ノズル７，７の噴射方向は、後輪６ｒの上部側面に対して所定角（略４５度）に傾斜させて備え、後輪６ｒに対して圧力水を斜めから噴射する構成としている。  尚、図１に示す符号３２は、取付管２７の両端に設けた摩擦材を示し、ブームの回動位置を保持する構成と構成となっている。
【００１８】
以上のように構成したトラクタでは、前記洗浄ノズル７を設けたブーム２８は、図２の洗浄作業位置（図中実線）と、フェンダー１０の下方に位置させる収納位置（図中仮想線）とに切替移動ができるように回動自在、即ち後輪６ｒに対する相対位置を変更可能に構成されている。そして、前記洗浄ノズル７を設けたブーム２８は、洗浄作業が終了すると、前後方向において車体側に近づけて回動させ、更にブーム取付管２７の両端を支点にして上方を経由して内側に折り曲げて、左右後輪６ｒの内側且つ車体の背面に沿わせて位置させる。
【００１９】
これにより、タイヤ洗浄装置１１は、このように内側まで収納すると、他の農作業、例えば、ロータリ耕耘装置で作業を行って、これを昇降移動しても何ら支障もおきることは無く、また作業時にも後方、特に作業機近傍の視界を妨げることが無い。また走行時においては、車体の左右側方または後方へ突出することが無いので、障害物を引っ掛けることも無い。
【００２０】
また前記洗浄装置１１は、洗浄ノズル７の全噴射幅を、後輪６ｒの左右幅に対して広範囲に設定し、その左右両端部の洗浄ノズル７をタイヤ表面に対し斜め方向から噴射する構成となっているので、泥土とタイヤの間に洗浄水を進入させて、タイヤにこびり付いた泥土を削り落とす効果を奏するので、単にタイヤ上から洗浄水を噴射する構成と比較して作業効率が良い。
【００２１】
尚、この発明の別形態としては、前記回動アーム２９に電動モータなどのアクチュエータを備え、別途電気スイッチ操作により作業状態と収納状態との間を動かす構成としても良い。また図７に示すように、ブーム取付管２７を車体の前後方向に移動させ、フェンダー１０下方で車体の背面に沿わせて収納する構成としても良い。
【００２２】
次に前記洗浄装置１１に接続する前輪洗浄装置について説明する。
図７と図８に示す前記洗浄装置１１は、前記取付管２７から分岐させた前輪送水ホース３５を前方に延長して、その前端に、前輪６ｆの内側、詳しくはキングピン上部に固定した送水管３６に接続する構成となっている。そして、送水管３６の上端部には、正面視タイヤ形状に合わせて円弧形状に湾曲させたブーム３７を備え、このブーム３７に複数の噴射ノズル７，７…を備える構成となっている。これにより、この前輪洗浄装置では、前記ポンプ４を駆動すると、前輪６ｆ及び後輪６ｒ同時に洗浄することができる。
【００２３】
次に、図９と図１０に基づいて、前記洗浄装置の別形態について説明する。
この別形態の洗浄装置４１は、携帯用のポリタンク（貯水タンク２に相当）４２と、電動ポンプ４３と、圧力タンク４４と等を、ボンネット６前方位置で車体１に係止させるホルダ４８内に備える構成としている。またこの洗浄装置４１のポンプ４３は、前記同様、車体１に搭載しているバッテリー１６の電源を利用して駆動できるように接続し、キャビン１２室内からの操作で洗車作業を開始・停止する構成となっている。
【００２４】
これにより、前記洗浄装置１１のように、車体後部に備える構成と比較して、車体に対し洗浄装置４１の着脱操作が簡単で且つタンク４２内に水を充填しておくと、トラクタのウェイトも兼用することもできる。
【図面の簡単な説明】
【００２５】
【図１】（Ａ）洗浄装置の斜視図。（Ｂ）洗浄装置の一部分解図。
【図２】トラクタの側面図。
【図３】取水装置の作用を示すトラクタの側面図。
【図４】洗浄装置の使用状態とトラクタの背面図。
【図５】洗浄装置の背面図。
【図６】洗浄装置の平面図。
【図７】別形態の洗浄装置を取り付けたトラクタの側面図。
【図８】前輪洗浄ノズルを示す正面図。
【図９】別形態を示す洗浄装置を取り付けたトラクタの側面図。
【図１０】図９の一部断面した正面図。
【符号の説明】
【００２６】
１  車体
２  貯水タンク
３  取水装置
４  電動式のポンプ
６ｒ  後輪（タイヤ）
６ｆ  前輪
７  洗浄ノズル
１０  フェンダー
【図１】
2006117059.tif 000003
【図２】
2006117059.tif 000004
【図３】
2006117059.tif 000005
【図４】
2006117059.tif 000006
【図５】
2006117059.tif 000007
【図６】
2006117059.tif 000008
【図７】
2006117059.tif 000009
【図８】
2006117059.tif 000010
【図９】
2006117059.tif 000011
【図１０】
2006117059.tif 000012